(57)【特許請求の範囲】
【請求項１】
ダイヤル錠本体から出力部材を突出させるとともに、ダイヤル照合時に内部変位を引き起こす変位生成部を設け、この変位生成部に前記出力部材を関連づけて、ダイヤル非照合時に出力部材を出力待機位置に保持し、ダイヤル照合時に変位生成部の変位に連動させて出力部材を出力待機位置から出力位置に移動させるようにしたものであり、前記変位生成部が、ダイヤルに対峙して配置され前記内部変位を取り出されるカム板と、各ダイヤルとカム板より突出させた判定部との間に構成されダイヤル照合時に判定部の倣い位置を変化させてカム板を追従させる照合検知部と、そのカム板の追従に必要な弾性力を蓄積する弾性体とを具備しており、前記ダイヤルのリセットを行うリセット杆を備えるとともに、このリセット杆と前記カム板とが関連づけられており、ダイヤルをリセットさせる方向へのリセット杆の変位に伴って、前記判定部がダイヤルより離反するように構成したことを特徴とするダイヤル錠。
【請求項２】
前記カム板は、ダイヤルの配列方向に沿って当該ダイヤルとダイヤル錠本体の壁部との隙間に配置されたものであり、長手方向と直交する方向に作動するように構成されている請求項１記載のダイヤル錠。
【請求項３】
出力部材の一部に錠前が形成され、又は出力部材に直接又は間接に錠前が接続されて、出力待機位置で錠前を施錠位置に保持し、出力位置で錠前を解錠位置に保持するようにしている請求項１又は２記載のダイヤル錠。
【請求項４】
ダイヤル錠本体から入力部材を突出させるとともに、ダイヤルの軸心にリセット杆を内設し、当該リセット杆の軸心方向への移動に伴ってダイヤルを回転させてリセットするようにしており、このリセット杆に前記入力部材を関連づけて、入力部材が外力を受けているときは当該入力部材をダイヤル錠本体側へと押し込まれた入力位置に保持し、入力部材が外力を取り除かれて前記入力位置からダイヤル錠本体外側に向かって進み出た開放位置に移動したときは、その移動に連動させてリセット杆をリセット方向に変位させるようにしたことを特徴とするダイヤル錠。
【請求項５】
入力部材は、基端をダイヤルの配列方向に沿ってダイヤル錠本体に進退可能に収容され、入力位置から開放位置に復帰させる方向の弾性力を蓄積する弾性体に関連づけられている請求項４記載のダイヤル錠。
【請求項６】
入力部材はリセット杆と平行に配置され、突出動作によってリセット杆をリセット方向に移動させるようにしている請求項５記載のダイヤル錠。
【請求項７】
請求項１〜６の何れかに記載のダイヤル錠を扉や引出等の開閉部材に備えた収納装置。
【請求項８】
請求項４〜６の何れかに記載のダイヤル錠を扉や引出等の開閉部材に備えており、当該開閉部材の閉止時に前記入力部材が筐体に押し込まれて入力位置に移動し、開成時に筐体から離れることで開放位置に突出するように構成したことを特徴とする収納装置。
【発明の詳細な説明】
【技術分野】
【０００１】
本発明は、収納装置の扉や引出等に取り付けて好適に利用可能なダイヤル錠およびこれを備えた収納装置に関するものである。
【背景技術】
【０００２】
この種のダイヤル錠として、特許文献１に示すもの等が知られている。
【０００３】
このものは、ダイヤルを照合させて操作部である摘みを回すと、カマ錠の施錠状態が解除されると同時にダイヤル錠がゼロリセットされ、再び暗証番号を入力して操作部である摘みを回すと、カマ錠が施錠されると同時にダイヤル錠がゼロリセットされるように構成されている。
【特許文献１】特許第２８２１３６８号公報
【発明の開示】
【発明が解決しようとする課題】
【０００４】
このように、従来のものは、開扉時にダイヤルを照合させる操作、摘みを回す操作及び扉を開成させる操作が必要になり、また閉扉時に扉を閉める操作、暗証番号を入力する操作、摘みを回す操作が必要になる。このため、利用頻度の高いロッカー等においては、より簡素に操作できるダイヤル錠が望まれる場合がある。
【０００５】
本発明は、このような課題に着目してなされたものであって、従来よりも少ないアクションで利用でき、しかもコンパクトに構成できて収納装置等の対象への適用も容易となる、新規有用なダイヤル錠およびこれを備えた収納装置を提供することを目的としている。
【課題を解決するための手段】
【０００６】
本発明は、かかる目的を達成するために、次のような手段を講じたものである。
【０００７】
先ず、ダイヤル照合時の操作軽減を図った本発明のダイヤル錠は、ダイヤル錠本体から出力部材を突出させるとともに、ダイヤル照合時に内部変位を引き起こす変位生成部を設け、この変位生成部に前記出力部材を関連づけて、ダイヤル非照合時に出力部材を出力待機位置に保持し、ダイヤル照合時に変位生成部の変位に連動させて出力部材を出力待機位置から出力位置に移動させるようにしたものであり、前記変位生成部が、ダイヤルに対峙して配置され前記内部変位を取り出されるカム板と、各ダイヤルとカム板より突出させた判定部との間に構成されダイヤル照合時に判定部の倣い位置を変化させてカム板を追従させる照合検知部と、そのカム板の追従に必要な弾性力を蓄積する弾性体とを具備しており、前記ダイヤルのリセットを行うリセット杆を備えるとともに、このリセット杆と前記カム板とが関連づけられており、ダイヤルをリセットさせる方向へのリセット杆の変位に伴って、前記判定部がダイヤルより離反するように構成したことを特徴とする。
【０００８】
このように構成すると、ダイヤルを照合させるのみで、摘みを回す操作等をせずとも出力部材が出力待機位置から出力位置に切り替わるので、このダイヤル錠に錠前を関連づければ、解錠に必要な操作を確実にワンアクション減らすことができる。しかも、このような機能がダイヤル錠自体に組み込まれるので、ダイヤル錠周辺の構成を簡素にすることができる。
【０００９】
また、前記変位生成部が、ダイヤルに対峙して配置され前記内部変位を取り出されるカム板と、各ダイヤルとカム板より突出させた判定部との間に構成されダイヤル照合時に判定部の倣い位置を変化させてカム板を追従させる照合検知部と、そのカム板の追従に必要な弾性力を蓄積する弾性体とを具備する構成としているため好適に構成でき、弾性体の弾性力によってカム板を変位させ、内部変位を有効に取り出すことができるようになっている。さらに、前記ダイヤルのリセットを行うリセット杆を備えるとともに、リセット杆と前記カム板とが関連づけられており、ダイヤルをリセットさせる方向へのリセット杆の変位に伴って、前記判定部がダイヤルより離反するように構成しているためより好適といえる。
【００１０】
また、カム板は、ダイヤルの配列方向に沿って当該ダイヤルとダイヤル錠本体の壁部との隙間に配置されたものであり、長手方向と直交する方向に作動するように構成されていることが好適である。カム板をコンパクトに収容することができ、長手方向と直交する方向に作動させるため作動しろも僅かなもので足りるからである。
【００１１】
そして、上記の出力部材の一部に錠前が形成され、又は出力部材に直接又は間接に錠前が接続されて、出力待機位置で錠前を施錠位置に保持し、出力位置で錠前を解錠位置に保持するようにしておけば、施解錠装置を構成する上でこのダイヤル錠以外に必要な要素部品は、錠前以外に精々バーやリンク部材等の僅かなもので足りることとなる。
【００１２】
一方、ダイヤルリセット時の操作軽減を図った発明のダイヤル錠は、ダイヤル錠本体から入力部材を突出させるとともに、ダイヤルの軸心にリセット杆を内設し、当該リセット杆の軸心方向への移動に伴ってダイヤルを回転させてリセットするようにしており、このリセット杆に前記入力部材を関連づけて、入力部材が外力を受けているときは当該入力部材をダイヤル錠本体側へと押し込まれた入力位置に保持し、入力部材が外力を取り除かれて前記入力位置からダイヤル錠本体外側に向かって進み出た開放位置に移動したときは、その移動に連動させてリセット杆をリセット方向に変位させるようにしたことを特徴とする。
【００１３】
このように構成したダイヤル錠を扉や引出等の開閉部材に設けて入力部材を閉止時に筐体に突き当てるようにしておけば、開閉部材を開成させるのみで、摘みを回す操作等をせずとも入力部材が入力位置から開放位置に切り替わり、これによりリセット杆がリセット方向に作動するので、リセットに必要な操作を確実にワンアクション減らすことができる。しかも、このような機能がダイヤル錠自体に組み込まれるので、ダイヤル錠周辺の構成を簡素にすることができる。
【００１４】
ここで「リセット」とは、必ずしもダイヤルを０にする所謂ゼロリセットに限定されるものではなく、他の特定の数字にリセットしたり、ランダムな数字にリセットするものも含まれる。
【００１５】
この場合、入力部材は、基端をダイヤルの配列方向に沿ってダイヤル錠本体に進退可能に収容され、入力位置から開放位置に復帰させる方向の弾性力を蓄積する弾性体に関連づけられていることが望ましい。開閉部材の開成操作力と弾性体の弾性力とによって入力部材に進退動作を有効に与えることができるからである。
【００１６】
また、入力部材はリセット杆と平行に配置され、進出動作によってリセット杆をリセット方向に移動させるようにしていることが好適である。入力部材をコンパクトに収容することができ、長手方向はもともとダイヤル錠本体から突出させているので、その方向への作動しろの確保に窮することもないからである。
【００１７】
そして、上記のように構成したいずれかのダイヤル錠を扉や引出等の開閉部材に設けることで、収納装置として効果的に構成することができる。また、リセット杆や入力部材を有する構成からなるダイヤル錠を前提とした場合には、そうしたダイヤル錠を扉や引出等の開閉部材に備えており、当該開閉部材の閉止時に前記入力部材が筐体に押し込まれて入力位置に移動し、開成時に筐体から離れることで開放位置に進出するように構成することで、一層効果的な収納装置を得ることが可能となる。
【発明の効果】
【００１８】
本発明は、以上説明した構成であるから、ダイヤル照合後の解錠操作やダイヤルリセットのための別段の操作を不要にして、従来よりも少ないアクションで利用でき、しかもダイヤル錠本体内にコンパクトに構成できて、収納装置等の対象への適用も容易にした、新規有用なダイヤル錠及びこれを備えた収納装置を提供することが可能となる。
【発明を実施するための最良の形態】
【００１９】
以下、本発明の一実施形態を、図面を参照して説明する。
【００２０】
図１は本実施形態のダイヤル錠の内部構造を示している。このダイヤル錠は、ダイヤル１１を照合させた際に摘みを回すことなく解錠する機能と、このダイヤル錠を付帯させた扉や引出等の開閉部材を開成させるだけでダイヤル１１をゼロリセットする機能とを備えている。以下、順を追って説明する。
（ダイヤル照合による解錠に関する構成）
【００２１】
この実施形態のダイヤル錠は、ダイヤル錠本体であるケーシング１から出力部材であるロッキングバー２を突出させるとともに、ダイヤル照合時に内部変位を引き起こす変位生成部３を設け、この変位生成部３に前記ロッキングバー２を関連づけている。そして、ダイヤル非照合時にロッキングバー２を図１に示す出力待機位置に保持し、ダイヤル照合時に変位生成部３の変位に連動させてロッキングバー２を図１に示す出力待機位置から図 １１に示す出力位置に移動させるようにしている。
【００２２】
具体的に説明すると、ケーシング１は、前面が開口した直方体状のボックスのその前面を覆う位置に図示しないカバーを装着するようにしたもので、少なくとも４つのダイヤル１１、各ダイヤル１１を操作する操作円板１２、非常解錠操作部６が、カバー装着状態で前面に表出するようにしている。
【００２３】
ロッキングバー２は、基端をケーシング内において支軸ｍ１に枢着され先端をケーシング１の長手方向の一端から側方に突出させたリンク板状のもので、先端を上下方向に揺動させ得るようにしている。
【００２４】
変位生成部３は、図１及び図２に示すように、ダイヤル１１に対峙して配置されるセンスカム（図中、網掛けを付した部分）３１の一部を構成する後述のカム板３１ａと、各ダイヤル１１とセンスカム３１の一部を構成する後述の判定部３１ｂとの間に構成されダイヤル照合時に判定部３１ｂの倣い位置を変化させてカム板３１ａを追従させる照合検知部３０と、その追従に必要な弾性力を蓄積する弾性体たるセンスカム用スプリング３２とを具備し、前記カム板３１ａから内部変位を取り出すようにしている。
【００２５】
センスカム３１は、ダイヤル１１の配列方向に沿って当該ダイヤル１１とケーシング１の壁部１ａとの隙間に配置されたカム板３１ａと、このカム板３１ａからダイヤル１１の外周（正確にはダイヤル１１に隣接するロックギア１３の外周）に向けて突出させた爪状の判定部３１ｂとからなる。カム板３１ａは、長手方向と直交する方向、すなわちほぼ厚み方向に作動することができる。
【００２６】
一方、各ダイヤル１１及び操作用円板１２には、一体回転可能な関係でロックギア１３がそれぞれ配置してあり、このロックギア１３のランド（外周面）１３ｂには、ダイヤルが照合したとき（この実施形態では「１２３４」となったとき）に判定部３１ｂに相対する位置に切欠き部１３ａが形成してある。そして、図２に示すように４つの切欠き部１３ａが揃ったとき、すなわち４つのダイヤルが「１２３４」になったときに、初めてセンスカム３１の４つの判定部３１ｂがそれぞれ切欠き部に相対するようにしている。
【００２７】
センスカム用スプリング３２は、前記カム板３１ａとハウジング本体１の壁部１ａとの間に弾接された圧縮コイルバネ状のもので、このセンスカム用スプリング３２によって判定部３１ｂを切欠き部１３ａに向かって押し付けている。
【００２８】
すなわち、１つでも判定部３１ｂが切欠き部１３ａに相対していなければ、それがセンスカム３１の、具体的には判定部３１ｂの倣い位置となって図３の右側のロックギア１３に示すように判定部３１ｂがランド１３ｂに乗り上る位置に保持され、他のロックギア１３の判定部１３ｂは切欠き部１３ａに入り込むことができないが、図２に示すようにセンスカム３１の４つの判定部３１ｂがそれぞれ切欠き部１３ａに相対したときには、判定部３１ｂの倣い位置がランド１３ｂから切欠き部１３ａの底に変化して、判定部３１ｂは切欠き部１３ａに入り込むため、カム板３１ａが追従して長手方向と直交する方向に沈み込む様に変位することになる。これら切欠き部１３ａと判定部３１ｂが本発明の照合検知部３０を構成している。
【００２９】
センスカム３１とロッキングバー２とは、図１に示すように関連部であるロッキングカム２０を介して接続される。このロッキングカム２０は、一端をセンスカム３１に支軸ｍ２を介して接続され、他端を前記ロッキングバー２ともども前記支軸ｍ１に接続されたもので、支軸ｍ１から変位した位置でロッキングバー２に、当該ロッキングバー２を抱えるようにして係り合っている。そして、センスカム３１が照合を検知していない時はロッキングバー２を斜め下方へ突出した図１の出力待機位置に保持し、センスカム３１が照合を検知した時にはロッキングバー２を図１１に示すように支軸ｍ１回りに上方へ回転させてほぼ水平な突出状態となる出力位置に保持するようにしている。
【００３０】
そして、ロッキングバー２に直接又はリンク等を介して図１に想像線で示すように錠前Ｋを直接又はリンク等を介して接続して、図１に示す出力待機位置で錠前を施錠位置に保持し、図１１に示す出力位置で錠前を解錠位置に保持するように使用される。
（ダイヤルのリセットに関する構成）
【００３１】
また、この実施形態のダイヤル錠は、図１に示すようにケーシング１から入力部材であるリターンバー４を突出させるとともに、ダイヤル１１をリセットする位置、すなわちダイヤル１１の軸心にリセット杆であるダイヤル軸５を内設し、このダイヤル軸５に前記リターンバー４を関連づけている。そして、リターンバー４が外力を受けているときは当該リターンバー４をケーシング１側へと押し込まれた入力位置に保持し、リターンバー４が外力を取り除かれて入力位置からケーシング１の外側に向かって進み出た開放位置に移動したときは、その移動に連動させてダイヤル軸５をリセット方向に変位させるようにしている。
【００３２】
具体的に説明すると、リターンバー４は、基端をダイヤル１１の配列方向に沿ってケーシング１の他端側に進退可能に収容され、入力位置から開放位置に復帰させる方向の弾性力を蓄積する弾性体たるリターンバー用スプリング４１に関連づけられている。
【００３３】
リターンバー４は、基端をスプリング軸４０の内部に収容され、先端を外方に突出させている。
【００３４】
リターン用スプリング４１は、前記スプリング軸４０の外側に装着されて、同じくスプリング軸４０の外側に装着されたスプリングスライダー４２を付勢する圧縮コイルバネ状のものである。前述したリターンバー４０は図示しない位置でこのスプリングスライダー４２に接続されている。
【００３５】
ダイヤル軸５は、４つのダイヤル１１の軸心を貫通して同軸心方向に移動可能であり、外周に図４に示すようにダイヤル１１の間隔に対応したピッチで突起５１を設けている。一方、ダイヤル１１の内部には、竹を斜めに切ったようなスロープ形状のカム面１１ｘがダイヤル１１と一体回転するように形成してあり、ダイヤル軸５が図４→図５に示すようにダイヤル１１の内部に深く没入する方向（リセット方向）に移動すると、カム面１１ｘを介してダイヤル１１を所定の回転位相に揃える作用を営む。
【００３６】
図１に示すように、リターンバー４はダイヤル軸５と平行に配置されているとともに、ダイヤル軸５の基端には図１及び図６等に示すような連結板５０が取り付けてあり、この連結板５０は、リターンバー４の基端に設けたフランジ４３に相対させてある。そして、リターンバー４がダイヤル錠本体側へと押し込まれた入力位置から外力を開放されて、リターンバー用スプリング４１によって図６→図７→図８に示すようにダイヤル錠本体外側に向かって進み出た開放位置に向かって突出する方向に移動したとき、リターンバー４の基端のフランジ４３が連結板５０を駆動して、この連結板５０に接続されたダイヤル軸５をダイヤル１１内に没入する方向に移動させるようにしている。
【００３７】
そして、このダイヤル錠が収納装置の扉や引出等の開閉部材に取り付けられた状態で、リターンバー４が閉止時に筐体Ｚに直接又はリンク等を介して押し込まれることによって図１に示す入力位置に移動し、開閉部材の開成時に筐体Ｚから離れることによって図１１に矢印に示すように開放位置に向かって突出するように使用される。
（その他の構成）
【００３８】
なお、以上に加え、この実施形態は、図１及び図６等に示すように、キー等を使ってマニュアル操作可能な非常解錠操作部６を有しており、前記リターンバー４の基端のフランジ４３は、その非常解錠操作部６から突出させた第１の突片６１に接続してある。また、前記非常解錠操作部６には前記第１の突片６１に対して背向する位置に第２の突片６２が設けてあり、この第２の突片６２はセンスカム３１の下面３１ａに近接した位置に待機させてある。そして、リターンバー４が入力位置から開放位置に向かって図６→図７→図８のように突出すると、第１の突片６１が駆動されて非常解錠操作部６が回転し、この回転により第２の突片６２がセンスカム３１の下面３１ａに当接してセンスカム３１を図８に矢印で示すように持ち上げさせるようにしている。すなわち、リターンバー４と非常解錠操作部６を介してダイヤル軸５とカム板３１ａも関連づけられているといえ、ダイヤル１１をリセットさせる方向へのダイヤル軸の変位に伴って、センスカム３１全体とともに判定部３１ｂも持ち上がってダイヤル１１より離反することになる。センスカム３１が持ち上がると、再びロッキングカム２０を介してロッキングバー２を斜め下方へ突出した出力待機位置に保持することとなる。
【００３９】
また、前記リターンバー４には、図９に示すようにクリックカム７１を介して板バネ７２が相対させてあり、この板バネ７２にはダイヤル錠１１に付帯する操作用円板１２の外周に形成した凹凸部１２ａにクリック係合する係合子７２ａが設けてある。そして、リターンバー４が図９に示す入力位置にあるときには同図のようにクリックカム７１はリターンバー４上に乗り上げて係合子７２ａを凹凸部１２ａに係合させるが、リターンバー４が図１０に矢印で示すように開放位置に向かって突出動作を行うと、クリックカム７１がリターンバー４から外れて板バネ７２が下り、係合子７２ａが凹凸部１２ａから離反するようになっている。
【００４０】
図１及び図６等において、符号５ｘで示すものは、ダイヤル軸５を図中左方向へ引き戻すためのダイヤル軸用スプリング５ｘである。
【００４１】
次に、本実施形態の作動を、解錠操作、開扉操作、閉扉操作とともに説明する。
（解錠操作時）
【００４２】
ダイヤル１１を回して暗証番号を入力する。1桁でも暗証番号が異なる場合、図３に示すようにセンスカム３１の判定部３１ｂがロックギア１３のランド１３ｂに当たるので、判定部３１ｂはロックギア１３の切欠き部１３ａにはまり込むことができない。暗証番号が正しい場合、図２に示すように、センスカム用スプリング３２によりセンスカム３１の判定部３１ｂがロックギア１３の切欠き１３ａにはまり込む。
【００４３】
図１に示すようにセンスカム３１とロッキングカム２０は連結されているので、センスカム３１が下がるとロッキングカム２０が回転し、ロッキングカム２０と連結されているロッキングバー２の先端が図１の状態から図１１の状態まで持ち上がる。このため、錠前が解錠状態となって、扉や引出等の開閉部材を開けることができる。
（開扉操作時）
【００４４】
解錠された段階では、扉や引出等の開閉部材は筐体Ｚに突き当たって閉止されている。すなわち、図１１に示すリターンバー用スプリング４１がスプリングスライダー４２を介してロッキングバー４を図中右側に押し出そうとするが、ロッキングバー４が直接又はリンクバー等を介して筐体Ｚに突き当たっているため、扉や引出等の開閉部材が閉まっている状態ではリターンバー用スプリング４１が縮んだ状態に保持される。
【００４５】
開閉部材が開き始めると、ロッキングバー４が筐体Ｚから離れていくため、リターンバー用スプリング４１によってリターンバー４が右側に押し出され、図６→図７→図８に示すようにリターンバー４に連結された非常解錠操作部６が反時計回りに回り始める。これにより、非常解錠操作部６の第２の突片６２がセンスカム３１の下面３１ａに当接してセンスカム３１が持ち上がり、ロッキングカム２０が回転することによりロッキングバー２が下がる。つまり、開閉部材を開けると自動的に施錠状態になる（オートロック）。これにより、センスカム３１の判定部３１ｂが図２→図３のようにロックギア１３の切欠き部１３ａから離れた状態になり、ゼロリセット時のダイヤル１１の回転の妨げになることが回避される。
【００４６】
上記において、開閉部材が閉まっているときは。リターンバー４により係合子７２ａが図９に示すように操作用円板１２側に押さえつけられているので、ダイヤル１１を回すと板バネ７２によりクリック感が生じる。開閉部材が開き始めると、クリックカム７１と板バネ７２が図１０に示すように操作用円板１２から離れるので、ゼロリセット時のダイヤル１１の回転の妨げになることが回避される。
【００４７】
一方、開閉部材が図１１に矢印で示す方向に開いてリターンバー４が図６→図７→図８に示すように右側に動くとき、フランジ４３が連結板５０に突き当たり、さらにリターンバー４が動くと連結板５０とそれに連結されたダイヤル軸５も右側すなわちダイヤル１１の内部に深く侵入する方向に動く。ダイヤル軸５が右に動くと、図４→図５に示すように、ダイヤル軸５上の突起５１がダイヤル１１の内部の竹を斜めに切ったようなスロープ形状をなすカム面１１ｘ押すことによりダイヤル１１が回転し、ダイヤル１１の内部のカム面１１ｘの位相が揃う。この実施形態では、図５に示すカム面１１ｘの奥部の切欠部分がダイヤル１１の「０」の位置にあるように設定してあり、この動作によって４つのダイヤルの表示が「００００」となる（ゼロリセット）。
（閉扉操作）
【００４８】
開閉部材を閉めると、開いたときとは逆の手順で施錠状態に戻る。すなわち、ダイヤル軸５、連結板５０は、図８→図７→図６のようにダイヤル軸用スプリング５ｘにより左側に押し戻される。ゼロリセットされることによりダイヤル１１は暗証番号ではなく「００００」になり、ロックギア１３の切欠き部１３ａがセンスカム３１の判定部３１ｂの位置とは違うところに移動するので、非常解錠操作部６の第２の突片３１ａがセンスカム３１の下面３１ａから離れてもセンスカム３１は動かない。つまり、ロッキングバー２は下がった位置から動かないので、施錠状態を保つ。
【００４９】
以上のようにして、本実施形態のダイヤル錠は、ダイヤル錠本体であるケーシング１から出力部材であるロッキングバー２を突出させるとともに、ダイヤル照合時に内部変位を引き起こす変位生成部３を設け、この変位生成部３に前記ロッキングバー２を関連づけたものである。そして、ダイヤル非照合時にロッキングバー２を出力待機位置に保持し、ダイヤル照合時に変位生成部３の変位に連動させてロッキングバー２を出力待機位置から出力位置に移動させるようにしている。さらには、変位生成部３が、ダイヤル１１に対峙して配置され上記内部変位を取り出されるカム板３１ａと、各ダイヤル１１とカム板３１ａより突出させた判定部３１ｂとの間に構成されダイヤル照合時に判定部３１ｂの倣い位置を変化させてカム板３１ａを追従させる照合検知部３０と、そのカム板３１ａの追従に必要な弾性力を蓄積する弾性体たるセンスカム用スプリング３２とを具備しており、ダイヤル１１のリセットを行うリセット杆としてのダイヤル軸５を備えるとともに、このダイヤル軸５とカム板３１ａとが関連づけられており、ダイヤル１１をリセットさせる方向へのダイヤル軸５の変位に伴って、判定部３１ｂがダイヤル１１より離反するようにしている。
【００５０】
このように、ダイヤル１１を照合させるのみで、摘みを回す操作等をせずともロッキングバー２が出力待機位置から出力位置に切り替わるので、このダイヤル錠に錠前Ｋを関連づければ、解錠に必要な操作を確実にワンアクション減らすことができる。しかも、このような機能がダイヤル錠自体に組み込まれるので、ダイヤル錠周辺の構成を簡素にすることができる。
【００５１】
また、変位生成部３が、ダイヤル１１に対峙して配置され内部変位を取り出されるカム板３１ａと、各ダイヤル１１とカム板３１ａより突出させた判定部３１ｂとの間に構成されダイヤル照合時に判定部３１ｂの倣い位置を変化させてカム板３１ａを追従させる照合検知部３０と、そのカム板３１ａの追従に必要な弾性力を蓄積するセンスカム用スプリング３２とを具備しているため好適に構成でき、このセンスカム用スプリング３２の弾性力によってカム板３１ａを変位させ、内部変位を有効に取り出すことができるようになっている。さらに、ダイヤル１１のリセットを行うダイヤル軸５を備えるとともに、ダイヤル軸５とカム板３１ａとが関連づけられており、ダイヤルをリセットさせる方向へのリセット杆の変位に伴って、判定部３１ｂがダイヤルより離反するように構成しているためより好適な構成となっている。
【００５２】
また、センスカム３１を構成するカム板３１ａは、ダイヤル１１の配列方向に沿って当該ダイヤル１１とダイヤル錠本体たるケーシング１の壁部１ａとの隙間に配置されたものであり、長手方向と直交する方向に作動するように構成されているので、カム板３１ａを含めセンスカム３１をコンパクトに組み込むことができ、長手方向と直交する方向に作動させるため作動しろも僅かなもので済ませることができる。
【００５３】
そして、ロッキングバー２に直接又は間接に錠前Ｋが接続されて、出力待機位置で錠前Ｋを施錠位置に保持し、出力位置で錠前Ｋを解錠位置に保持するようにしているので、施解錠装置を構成する上でこのダイヤル錠以外に必要な要素部品は、錠前Ｋ以外に精々バーやリンク部材等の僅かなもので足りることとなり、施解錠装置の簡略化にも資することとなる。
【００５４】
一方、本実施形態のダイヤル錠は、ダイヤル錠本体たるケーシング１から入力部材であるリターンバー４を突出させるとともに、ダイヤル１１の軸心にリセット杆たるダイヤル軸５を内設し、このダイヤル軸５の軸心方向への移動に伴ってダイヤルを回転させてリセットするようにしており、このダイヤル軸５に前記リターンバー４を関連づけて、リターンバー４が外力を受けているときは当該リターンバー４をケーシング１側へと押し込まれた入力位置に保持し、リターンバー４が外力を取り除かれて入力位置からケーシング１の外側に向かって進み出た開放位置に移動したときは、その移動に連動させてダイヤル軸５をリセット方向に変位させるようにしている。
【００５５】
このため、このダイヤル錠を扉や引出等の開閉部材に設けてリターンバー４を閉止時に筐体Ｚに突き当てるようにしておけば、開閉部材を開成させるのみで、摘みを回す操作等をせずともリターンバー４が入力位置から開放位置に切り替わり、これによりダイヤル軸５がリセット方向に作動するので、リセットに必要な操作を確実にワンアクション減らすことができる。しかも、このような機能がダイヤル錠自体に組み込まれるので、ダイヤル錠周辺の構成を簡素にすることができる。
【００５６】
具体的には、リターンバー４は、基端をダイヤル１１の配列方向に沿ってダイヤル錠本体であるケーシング１に進退可能に収容され、入力位置から開放位置に復帰させる方向の弾性力を蓄積する弾性体たるリターンバー用スプリング４１に関連づけられているので、開閉部材の開成操作力とリターンバー用スプリング４１の弾性力とによってリターンバー用スプリング４１に進退動作を有効に与えることができる。
【００５７】
また、リターンバー４はダイヤル軸５と平行に配置され、突出動作によってダイヤル軸５をリセット方向に移動させるようにしているので、リターンバー４をコンパクトに収容することができ、長手方向はもともとケーシング１から突出させてあるので、その方向への作動しろの確保に窮することもない。
【００５８】
そして、リターンバー４が扉や引出等の開閉部材に設けられ、閉止時に筐体Ｚに押し込まれて入力位置に移動し、開成時に筐体Ｚから離れることで開放位置に突出するように構成されているので、施解錠装置を構成する上でこのダイヤル錠以外に必要な要素部品は、錠前以外に精々バーやリンク部材等の僅かなもので足りることとなり、施解錠装置の簡略化にも資することになるとともに、収納装置として有効に構成することができる。
【００５９】
なお、各部の具体的な構成は、上述した実施形態のみに限定されるものではなく、本発明の趣旨を逸脱しない範囲で種々変形が可能である。
例えば、出力部材それ自体の一部に錠前が形成されて、出力待機位置で錠前を施錠位置に保持し、出力位置で錠前を解錠位置に保持するように構成することも可能である。
【図面の簡単な説明】
【００６０】
【図１】本発明の一実施形態を適用したダイヤル錠の内部構造を示す正面図。
【図２】同要部拡大斜視図。
【図３】図２の要部を更に拡大した作用説明図。
【図４】ダイヤルのゼロリセット機能を示す要部分解斜視図。
【図５】ダイヤルのゼロリセット機能を示す要部分解斜視図。
【図６】開扉時の動作を示す作用説明図。
【図７】開扉時の動作を示す作用説明図。
【図８】開扉時の動作を示す作用説明図。
【図９】ダイヤル錠周辺の構造を示す要部拡大斜視図。
【図１０】ダイヤル錠周辺の構造を示す要部拡大斜視図。
【図１１】図１に対応した作用説明図。
【符号の説明】
【００６１】
１…ダイヤル錠本体（ケーシング）
１ａ…壁部
２…出力部材（ロッキングバー）
３…変位生成部
４…入力部材（リターンバー）
５…リセット杆（ダイヤル軸）
１１…ダイヤル
３０…照合検知部
３１…センサーカム
３２…弾性体（センスカム用スプリング）
４１…弾性体（リターンバー用スプリング）
【図１】
0005305282.tif 000002
【図２】
0005305282.tif 000003
【図３】
0005305282.tif 000004
【図４】
0005305282.tif 000005
【図５】
0005305282.tif 000006
【図６】
0005305282.tif 000007
【図７】
0005305282.tif 000008
【図８】
0005305282.tif 000009
【図９】
0005305282.tif 000010
【図１０】
0005305282.tif 000011
【図１１】
0005305282.tif 000012